(57)【要約】エレベータの乗場またはカゴ内に設けられ、利用者が行先階の登録を行う操作盤にはタッチパネルを用いられることが多くなった。しかしながら、タッチパネルは平面を押すあるいはタッチして操作するので操作感に乏しい。本発明の操作スイッチは、トップ面に標示文字を形成し、基材の表面と裏面とに互いに絶縁されている導電層を形成したキートップと、前記導電層が導通する導通手段を備えているので、タッチ式でありながら操作感を得ることができる。
2019180929.tif 000002
【特許請求の範囲】
【請求項１】
トップ面に凸状に標示文字を形成し、基材の表面と裏面とに互いに絶縁されている導電層を形成したキートップと、
前記導電層が導通する導通手段と、
を備えたことを特徴とするエレベータの操作スイッチ。
【請求項２】
前記標示文字は、裏面も前記トップ面の凸状に倣って凹状に形成されている、
ことを特徴とする請求項１に記載のエレベータの操作スイッチ。
【請求項３】
前記基材は、熱可塑性の樹脂素材を用いている、
ことを特徴とする請求項１乃至２のいずれか１項に記載のエレベータの操作スイッチ。
【発明の詳細な説明】
【技術分野】
【０００１】
この発明は、エレベータの操作盤に用いられている操作スイッチに関する。
【背景技術】
【０００２】
エレベータの乗場またはカゴ内に操作盤が設けられており、利用者は操作ボタンを押下して行先階の登録を行うが、近年、タッチパネルを用いた操作盤が用いられることが多くなった。タッチパネルは、行先階等の表示されている平面を押すあるいはタッチするだけなので操作感に乏しい。このため、タッチパネルの接触操作をクリック感を伴って適切に行える操作盤が提案されている（例えば、特許文献１）。【０００３】
特許文献１は、タッチパネルにより構成されたパネルディスプレイの表面上に突出したドーム形状を持つ押圧操作部を有するディスプレイカバーを備えている。この押圧操作部は、押圧操作により反転して凹みタッチパネルへの接触動作を行う。
【先行技術文献】
【特許文献】
【０００４】
【特許文献１】特開２００５−８２２９９  (第２図)
【発明の概要】
【発明が解決しようとする課題】
【０００５】
特許文献１によれば、クリック感を伴って操作を行うことができる。しかしながら、タッチパネル上に押圧操作部を備えているので、複雑な構成となってしまっている。【０００６】
この発明は上記課題を解決するためになされたもので、簡単な構成でタッチすることで操作感をもちながら操作できる操作スイッチを供給することを目的とする。
また、操作スイッチのキートップをタッチしながら、押下することでクリック感を得ることができ、視覚障害者にも配慮した操作スイッチを実現することも目的とする。
【課題を解決するための手段】
【０００７】
この発明に係るエレベータの操作スイッチは、トップ面に凸状に標示文字を形成し、基材の表面と裏面とに互いに絶縁されている導電層を形成したキートップと、前記導電層が導通する導通手段と、を備えている。【０００８】
また、前記標示文字は、前記トップ面の凸状に倣って凹状に形成されている。
【発明の効果】
【０００９】
この発明によれば、標示文字を形成したキートップにタッチすることでスイッチを操作できる。また、キートップを押下することでクリック感を得ることができる。
【図面の簡単な説明】
【００１０】
【図１】この発明の実施の形態１の操作スイッチを用いた操作盤である。
【図２】この発明の実施の形態１の操作スイッチのキートップである。
【図３】図２のＩＩＩ−ＩＩＩ線に沿う断面図。
【図４】図１のＩＶ−ＩＶ線に沿う断面図。
【発明を実施するための形態】
【００１１】
以下、この発明の詳細について、上記図面を用いて説明する。
【００１２】
実施の形態１
図１〜図４は、この発明の実施の形態１を説明する図である。図中同一符号は同一部品を示し、設明を省略する。
図１に、この発明の操作スイッチを配置した操作盤１を示している。操作盤１は、かご内あるいは乗場に据付けられている。操作盤１は、各種機器を収めたボックス３を表板２が覆っている。表板２には、行先階あるいは情報を表示する表示部４と、呼びを登録するための行先階登録ボタン５と、扉を開閉するための扉開閉ボタン６とを備えている。７は、行先階登録ボタン５のキートップである。
【００１３】
図２に行先階登録ボタン５に用いられているキートップ７を示す。キートップ７は、ベース部７ａから押圧面７ｂが突出している。ベース部７ａと押圧面７ｂは傾斜面７ｃで繋がっている。また、押圧面７ｂには標示文字７ｄが形成されている。標示文字７ｄは階床を表す数字等であり、押圧面７ｂから突出している。
【００１４】
図３に、キートップ７の断面図を示す。図３（ａ）は、図２のＩＩＩ−ＩＩＩ線に沿うキートップ７の断面である。また、図３（ｂ）に図３（ａ）のＡ部を拡大して示すように、基材８の両面を導電層９で覆っている。キートップ７の基材８は、熱可塑性の樹脂素材でできている。具体的には、ポリカーボネート、ポリプロピレン、ＡＢＳ、ポリエチレン、ポリスチレン、ＰＥＴなどであり、導電性を持たない材料である。標示文字７ｄの裏側も凹んでおり、標示文字７ｄ部の厚さは基材８と同じ厚さに形成されている。導電層９は、導電性ポリマーや銅箔、導電性繊維などを貼付け又は一体成形して覆っている。導電層９は基材８の裏と表の両面に形成されており、表側と裏側は絶縁されている。
【００１５】
図４は、図１のＩＶ−ＩＶ線に沿う行先階登録ボタン５の断面図を示す。図４の上方は、操作盤１の表示部４等が配設された操作側であり、下方は、ボックス３が配置されている。
【００１６】
キートップ７は、表板２の行先階登録ボタン５用に設けられた孔２ａにボックス３側から挿入されている。スイッチ基板１１がキートップ７のベース部７ａを挟んでいる。そして、スイッチ基板１１は固定具１２を介して表板２に固定されている。
【００１７】
キートップ７のベース部７ａと表板２との間に導通手段である電極１３が設けられている。電極１３に電圧をかけてキートップ７面上に均一な低圧の電界を発生させ、人の指がキートップ７の標示文字７ｄに触れた際の静電容量の変化を図示していない測定器により測定して操作されたことを検出する。これは、押圧面７ｂまたは傾斜面７ｃでも同じように検出される。この検出されることにより、キートップ７のスイッチが入る。
【００１８】
さらに、スイッチ基板１１上に、キートップ７の押圧面７ｂと相対する箇所に導通手段である固定接点１４が配設されている。
【００１９】
キートップ７の標示文字７ｄ、押圧面７ｂを矢印Ｂ方向に押圧するとキートップ７が固定接点１４側に変形するので、押圧面７ｂが固定接点１４に接触して図示していない回路が開閉する。これによりキートップ７のスイッチが入る。
【００２０】
なお、キートップ７に触れてスイッチが入ったことを音声で知らせる様にしてもよい。そして、間違ったキートップ７に触れた場合にキートップ７を選択し直すことができるようにしてもよい。
【００２１】
上記実施の形態１により、以下の効果を得ることができる。
この発明に係るエレベータの操作スイッチは、トップ面７ｂに凸状に標示文字７ｄを形成し、基材８の表面と裏面とに互いに絶縁されている導電層９を形成したキートップ７と、前記導電層９が導通する導通手段と、を備えているので、標示文字７ｄを形成したキートップ７にタッチすることで導通手段が導通してスイッチの操作ができる。すなわち、タッチボタンとして用いることができるので、操作感をもちながら操作できる。
【００２２】
さらに、標示文字７ｄは、裏面もトップ面７ｂの凸状に倣って凹状に形成されているので、キートップは、押下された際、中空部分が押しつぶされることでクリック感を得ることができ、視覚障害者にも配慮した操作スイッチを実現することができる。
【００２３】
基材８は、熱可塑性の樹脂素材を用いているので、真空成形等の加工法で安く、様々な形状が容易に作ることができる。
【符号の説明】
【００２４】
５  行先階登録ボタン、  ７  キートップ、  ７ａ  ベース部、  ７ｂ  トップ面、  ７ｃ  傾斜面、  ７ｄ  標示文字、  ８  基材、  ９  導電層、  １１  スイッチ基板、  １２  固定具、１３  電極、  １４  固定接点。
【図１】
2019180929.tif 000003
【図２】
2019180929.tif 000004
【図３】
2019180929.tif 000005
【図４】
2019180929.tif 000006
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
トップ面に凸状に標示文字を形成し、基材の表面と裏面とに互いに絶縁されている導電層を形成したキートップと、
前記キートップの前記表面の前記導電層を導通させる電極と、
前記キートップが押されたときに前記裏面と接触する固定接点と、
を備えたことを特徴とするエレベータの操作スイッチ。
【請求項２】
前記標示文字は、裏面も前記トップ面の凸状に倣って凹状に形成されている、
ことを特徴とする請求項１に記載のエレベータの操作スイッチ。
【請求項３】
前記基材は、熱可塑性の樹脂素材を用いている、
ことを特徴とする請求項１乃至２のいずれか１項に記載のエレベータの操作スイッチ。
【国際調査報告】
2019180929.tif 000007
2019180929.tif 000008
2019180929.tif 000009
2019180929.tif 000010